(57)【要約】      （修正有）【課題】真水と海水とを原料にして、それぞれの原料に含有したイオン結合無機化合物類の組成比率を全く変えることなく、原料に含まれる残留塩素、化学物質、有機化合物類、プランクトン類を除去し、栽培農作物に適した塩分濃度を持ち、窒素を含有した液肥としての無菌イオン化ミネラル水を造る技術を提供する。【解決手段】原水を通過させる穴を持ったステンレスなどの導電性物質を素材とし、間に原水だけしか存在しない電極に電流を印加して原水を流入させ、電気分解が生じる前に通過させ、ついで活性炭を充填した水路に通過させて、原水中に含まれる物質を除去することを特徴とする浄水方法により浄化海水および浄化真水を作り、これらを調合して栽培農作物に適した塩分濃度を持つイオン化ミネラル水を作り、空気から製造したオゾンもしくは尿素を窒素供与体とし、海水含有の全ミネラル成分と窒素を含有した無菌イオン化ミネラル水を、液肥とした。【選択図】図１
2006289323.tif 000002
【特許請求の範囲】
【請求項１】
海水（以下“原海水”と呼ぶ）が、平成８年特許願２２０２５２号の“原水を通過させる穴を持ったステンレスなどの導電性物質を素材とし、間に原水だけしか存在しない電極に電流を印加して原水を流入させ、電気分解が生じる前に通過させ、ついで活性炭を充填した水路に通過させて、原水中に含まれる物質を除去することを特徴とする浄水方法。”を用いた、一定水量かつ一定流量で一定方向に直進して流れ原海水に含まれる化学物質、有機化合物類の化学反応に関与することで消費されても十分残留出来る数の電子を放出し続ける直流４．５Ａ以下の電流が通電する通路を通過し次いで電気分解領域に至る前に活性炭が充填された水路を通過させることで、原海水に含まれる化学物質、有機化合物類、プランクトン類を除去して“浄化海水”を作り、次に塩分濃度が０％の水道水、地下水、自然水等（以下“原真水”と呼ぶ）が、上記平成８年特許願２２０２５２号の方法を用いた、一定水量かつ一定流量で一定方向に直進して流れ原真水に含まれる残留塩素、化学物質、有機化合物類の化学反応に関与することで消費されても十分残留出来る数の電子を放出し続ける直流４．５Ａ以下の電流が通電する通路を通過し次いで電気分解領域に至る前に活性炭が充填された水路を通過させることで、原真水に含まれた残留塩素、化学物質、有機化合物類を除去した“浄化真水”を作り、この浄化海水と浄化真水を要求された塩分濃度になるように混合・調整し、要求された塩分濃度を持つ“調合原水”を作る。
調合原水が、上記平成８年特許願２２０２５２号の方法を用いた、一定水量かつ一定流量で一定方向に直進して流れ調合原水に含まれる結合状態にある水分子、残留塩素、残留化学物質、残留有機化合物類等の化学反応に関与することで消費されても十分残留出来る数の電子を放出し続ける直流４．５Ａ以下の電流が通電する通路を通過し次いで電気分解領域に至る前に活性炭が充填された水路を通過させることで、残留塩素、残留化学物質、残留有機化合物類等を除去しながらも、ナトリウム（Ｎａ）も含めリン（Ｐ）、カリウム（Ｋ）だけではなく海水中に含まれる全ての元素成分を成分比率組成が海水原水と同じである要求塩分濃度の無菌イオン化ミネラル水を造ることを特長とする製造法。
【請求項２】
【請求項１】
で得られたイオン化ミネラル水を栽培農作物に適した塩分濃度とし、これに空気中の酸素を原料にして生成したオゾンを混和することで、同時に混和される空気中の窒素がオゾン酸化物質としての酸素と結合して生成された硝酸を含有し結果として窒素が含まれる栽培農作物に適した塩分濃度のイオン化ミネラル水製造法。
【請求項３】
【請求項２】
における硝酸濃度は、栽培する農作物が硝酸中窒素利用によって消費されてしまい硝酸態窒素として土壌に残留しない濃度であることを特徴とする硝酸を含有し結果として窒素が含まれる栽培農作物に適した塩分濃度のイオン化ミネラル水製造法。
【請求項４】
【請求項１】
で得られた栽培農作物に適した塩分濃度のイオン化ミネラル水に、尿素（Ｈ２ＮＣＯＮＨ２）を混和することを特徴とする農作物栽培用液肥の製造法。
【請求項５】
【請求項４】
における尿素濃度は、栽培する農作物が尿素中窒素利用によって消費されてしまい余剰窒素として土壌に残留しない濃度であることを特徴とする尿素を含有し結果として窒素が含まれる栽培農作物に適した塩分濃度のイオン化ミネラル水製造法。
【発明の詳細な説明】
【技術分野】
【０００１】  海水含有成分と比率をそのまま残した、用途に応じて要求される塩分濃度を持ったイオン化ミネラル水と、これに窒素を溶解させた、本来の成分と味に旨みが加わった野菜等農作物を栽培する液肥を製造する技術分野。
【背景技術】
【０００２】  塩分濃度が０％の真水と海水とを原料にして、それぞれの原料に含有したイオン結合無機化合物類の組成比率を全く変えることなく、原料に含まれる残留塩素、化学物質、有機化合物類、プランクトン類を除去し、要求される塩分濃度を持つ無菌イオン化ミネラル水と、これに窒素を溶解させ、液肥に適した塩分濃度を持つイオン化ミネラル水を造る技術はこれまで存在しなかった。
【発明の開示】
【発明が解決しようとする課題】
【０００３】    必要なミネラルを正常なバランスで生体細胞に供給するには、生体細胞と同じミネラル成分比率と塩分濃度を持っていることが必要である。
また、本来の成分と味に加えて旨みが増した野菜等農作物を作るには、リンやカリウムだけではなく全てのミネラル成分と窒素成分を有した液肥が必要である。【０００４】  しかし、現状ではこのようなミネラル供与体や液肥は存在しない。
【課題を解決しようとする手段】
【０００５】  本発明は、請求項１に示した全ミネラル成分を有するために、海水を原料とし平成８年特許願２２０２５２号の方法を用いた。
【０００６】  次に、請求項２に示した窒素成分を有するために、空気からオゾンを生成させ、オゾン酸化物としての酸素と空気中の窒素を無菌イオン化ミネラル水内で結合させ窒素供与体としての硝酸を生成。
【０００７】  さらに、請求項４に示した窒素供与体としての尿素を無菌イオン化ミネラル水内に混和。
【発明の効果】
【０００８】  ヒトの体液は０．８５％の塩分濃度を持つように植物、動物の全ての生命体はそれぞれ固有の塩分濃度を持っている。それぞれの生命体が本来の健康体を維持していくための基本は、この固有塩分濃度を体内で維持し正常なミネラルバランスを保っていくことである。
本発明の最適な塩分濃度を持つイオン化ミネラル水がこの維持を容易にする。本発明によって海水を原料にした最適な塩分濃度を持ち残留塩素、化学物質、有機化合物類、プランクトン類が除去されたイオン化ミネラル水の製造が始めて可能になった。
また、野菜等の農作物が旨みを有するにはアミノ酸の中で、アラニン、グリシン、バリン、スレオニン、ロイシン、イソシロン、シスチン、メチオニン、フェニルアラニン、アスパラギン、リジン、アルギニン、グルタミンを要する。またバランスが良い旨い味を得るにはナトリウムの塩み、カルシウムの甘み、カリウムの酸っぱみ、マグネシウムの苦味のバランスが不可欠であり、これら４つの元素以外の微量元素が旨さと味のバランスを決定する。
本発明により、アミノ酸原料となる窒素と必須元素以外の地球上に存在する全元素を有した旨さと味のバランスが良い野菜等農作物栽培用液肥を製造することが可能になった。
【発明を実施するための最良の形態】
【実施例】
【０００９】  図１が本発明の実施例である。
【産業上の利用可能性】
【００１０】  本発明によって造られた塩分濃度０．８６％のイオン化ミネラル水を飲用することで人体のミネラルバランスを瞬時に正常化することが出来、救命処置の際点滴ではなくこのまま飲用させることで医療設備がない場所での治療が出来る。また塩分濃度０．１〜０．８％のイオン化ミネラル水は農作物栽培用水として、さらに塩分濃度０．３〜０．８６％のイオン化ミネラル水は野菜、果物の鮮度長期維持のための洗浄用水として活用出来、またさらに、塩分濃度０．３〜３．４％のイオン化ミネラル水に魚介類を浸すことで鮮度の長期間維持、生臭さの除去が出来、冷凍しても味を生と同じに保つことが容易に出来る。このように、生命の健康に関係する全ての分野で本発明は利用されていく。
次に、窒素、リン、カリウムだけで構成された液肥では、旨みと味の適正バランスを持ち健康に寄与出来る野菜等農作物を作ることは困難であったが、本発明により大規模な化学工場を必要とせずに、必要な時に必要とされる耕作地でも液肥製造が可能になった。有機・無機を問わず大量の肥料施肥による土壌汚染を抑制することも可能になった。
【図面の簡単な説明】
【００１１】
【図１】
【符号の説明】
１：原海水
２：原海水が、一定水量かつ一定流量で一定方向に直進して流れ原海水に含まれる化学物質、有機化合物類の化学反応に関与することで消費されても十分残留出来る数の電子を放出し続ける直流４．５Ａ以下の電流が通電する通路。
３：活性炭が充填された水路
４：浄化海水
５：原真水
６：原真水が、一定水量かつ一定流量で一定方向に直進して流れ原真水に含まれる化学物質、有機化合物類の化学反応に関与することで消費されても十分残留出来る数の電子を放出し続ける直流４．５Ａ以下の電流が通電する通路。
７：活性炭が充填された水路
８：浄化真水
９：調合原水
１０：調合原水が、一定水量かつ一定流量で一定方向に直進して流れ調合原水に含まれる化学物質、有機化合物類の化学反応に関与することで消費されても十分残留出来る数の電子を放出し続ける直流４．５Ａ以下の電流が通電する通路。
１１：活性炭が充填された水路
１２：残留塩素、残留化学物質、残留有機化合物類、プランクトン類等が除去された要求塩分濃度のイオン化ミネラル水
１３：ポンプ流入口
１４：ポンプ
１５：ポンプ流出口
１６オゾン混和装置
１７：尿素混和装置
【図１】
2006289323.tif 000003
【図２】
2006289323.tif 000004
【図３】
2006289323.tif 000005
【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
海水（以下“原海水”と呼ぶ）が、平成８年特許願２２０２５２号の“原水を通過させる穴を持ったステンレスなどの導電性物質を素材とし、間に原水だけしか存在しない電極に電流を印加して原水を流入させ、電気分解が生じる前に通過させ、ついで活性炭を充填した水路に通過させて、原水中に含まれる物質を除去することを特徴とする浄水方法。”を用いた、一定水量かつ一定流量で一定方向に直進して流れ原海水に含まれる化学物質、有機化合物類の化学反応に関与することで消費されても十分残留出来る数の電子を放出し続ける直流４．５Ａ以下の電流が通電する通路を通過し次いで電気分解領域に至る前に活性炭が充填された水路を通過させることで、原海水に含まれる化学物質、有機化合物類、プランクトン類を除去して“浄化海水”を作り、次に塩分濃度が０％の水道水、地下水、自然水等（以下“原真水”と呼ぶ）が、上記平成８年特許願２２０２５２号の方法を用いた、一定水量かつ一定流量で一定方向に直進して流れ原真水に含まれる残留塩素、化学物質、有機化合物類の化学反応に関与することで消費されても十分残留出来る数の電子を放出し続ける直流４．５Ａ以下の電流が通電する通路を通過し次いで電気分解領域に至る前に活性炭が充填された水路を通過させることで、原真水に含まれた残留塩素、化学物質、有機化合物類を除去した“浄化真水”を作り、この浄化海水と浄化真水を要求された塩分濃度になるように混合・調整し、要求された塩分濃度を持つ“調合原水”を作る。
調合原水が、上記平成８年特許願２２０２５２号の方法を用いた、一定水量かつ一定流量で一定方向に直進して流れ調合原水に含まれる結合状態にある水分子、残留塩素、残留化学物質、残留有機化合物類等の化学反応に関与することで消費されても十分残留出来る数の電子を放出し続ける直流４．５Ａ以下の電流が通電する通路を通過し次いで電気分解領域に至る前に活性炭が充填された水路を通過させることで、残留塩素、残留化学物質、残留有機化合物類等を除去しながらも、ナトリウム（Ｎａ）も含めリン（Ｐ）、カリウム（Ｋ）だけではなく海水中に含まれる全ての元素成分を成分比率組成が海水原水と同じである要求塩分濃度の無菌イオン化ミネラル水を造ることを特長とする製造法。
【請求項２】
請求項１で得られたイオン化ミネラル水を栽培農作物に適した塩分濃度とし、これに空気中の酸素を原料にして生成したオゾンを混和することで、同時に混和される空気中の窒素がオゾン酸化物質としての酸素と結合して生成された硝酸を含有し結果として窒素が含まれる栽培農作物に適した塩分濃度のイオン化ミネラル水製造法。
【請求項３】
請求項２における硝酸濃度は、栽培する農作物が硝酸中窒素利用によって消費されてしまい硝酸態窒素として土壌に残留しない濃度であることを特徴とする硝酸を含有し結果として窒素が含まれる栽培農作物に適した塩分濃度のイオン化ミネラル水製造法。
【請求項４】
請求項１で得られた栽培農作物に適した塩分濃度のイオン化ミネラル水に、尿素（Ｈ２ＮＣＯＮＨ２）を混和することを特徴とする農作物栽培用液肥の製造法。
【請求項５】
請求項４における尿素濃度は、栽培する農作物が尿素中窒素利用によって消費されてしまい余剰窒素として土壌に残留しない濃度であることを特徴とする尿素を含有し結果として窒素が含まれる栽培農作物に適した塩分濃度のイオン化ミネラル水製造法。
【手続補正２】
【補正対象書類名】明細書
【補正対象項目名】００１１
【補正方法】変更
【補正の内容】
【００１１】
【図１】窒素を含まない栽培農作物に適した塩分濃度のイオン化ミネラル水製造フロー図。
【図２】空気から生成したオゾンを使って窒素が含まれる栽培農作物に適した塩分濃度のイオン化ミネラル水の製造フロー図。
【図３】尿素を混和することで窒素が含まれる栽培農作物に適した塩分濃度のイオン化ミネラル水の製造フロー図。